(57)【要約】【課題】  コンテンツの使用期限が切れる前にユーザに通知する。【解決手段】  壁紙や着信メロディ等のコンテンツの使用期間の最終日時の情報をリマインダテーブルに記憶しておく。午前０時になると（Ｓ２）、リマインダテーブルを参照し（Ｓ３）、使用可能期間の残り時間が２４時間以内であるコンテンツがあるか否かを判定する（Ｓ４）。残り使用可能時間が２４時間以内のコンテンツがあるときには、その旨を表示部に表示してユーザに通知する（Ｓ５）。また、該ユーザ通知画面には、そのコンテンツの権利オブジェクトの購入ページへのリンクを設ける。【選択図】  図３
2006065737.tif 000002
【特許請求の範囲】
【請求項１】
セパレート・デリバリーによるコンテンツの配信を受けることができる移動端末装置であって、
制御部と、メモリとを有し、
前記制御部は、前記メモリに保存されているコンテンツに使用期限が設定されている場合に、そのコンテンツを使用することができなくなる日時になる前に、そのことをユーザに通知することを特徴とする移動端末装置。
【請求項２】
前記メモリに前記コンテンツごとにその使用期限の情報を記憶するリマインダテーブルを記憶しており、
前記制御部は、該リマインダテーブルを定期的に参照して、使用することができなくなる日時までの時間が所定時間以下であるコンテンツがあるときに、ユーザにその旨を通知する画面を表示部に表示させることを特徴とする請求項１記載の移動端末装置。
【請求項３】
前記ユーザに通知する画面に、そのコンテンツの権利オブジェクトを購入することができるウェブページへ移行するためのボタンが設けられていることを特徴とする請求項２記載の移動端末装置。
【発明の詳細な説明】
【技術分野】
【０００１】
本発明は、セパレート・デリバリーによるコンテンツの配信を受けることができる携帯電話機などの移動端末装置に関する。
【背景技術】
【０００２】
近年、いわゆる第３世代と呼ばれる携帯電話サービスが導入されつつあるが、この第３世代の移動体通信システムにおいては同一の移動端末を世界中で共通に使用することができるように標準化が進められており、ＷＡＰ（Wireless Application Protocol）及びＭＭＳ（Multimedia Messaging Service）の規格が共通仕様として採用されている（非特許文献１）。以下、ＷＡＰ及びＭＭＳ対応の移動端末を単に「ＷＡＰ対応端末」と呼ぶ。
このようなＷＡＰ対応端末においては、OMA DRM（OMA Digital Rights Management）version 1.0（以下、単に「OMA DRM」という。）に準拠した著作権管理が行われる。OMA DRMは、携帯電話用アプリケーション標準化団体であるオープンモバイルアライアンス（Open Mobile Alliance）が策定したデジタル著作権保護（ＤＲＭ：Digital Rights Management）の仕様である（非特許文献２）。
【０００３】
OMA DRMにおいては、コンテンツの配信方式として、(1) フォワード・ロック（Forward Lock）、(2) コンバインド・デリバリー（Combined Delivery）、及び、(3) セパレート・デリバリー（Separate Delivery）の３つの仕様が規定されている。
(1) フォワード・ロック（Forward Lock）は、取得したコンテンツの転送を許容しない方式である。
(2) コンバインド・デリバリー（Combined Delivery）は、フォワード・ロック方式のコンテンツに権利（使用権の設定）を付加して配信する方式である。
(3) セパレート・デリバリー（Separate Delivery）は、暗号化されたコンテンツ（Media Object：メディアオブジェクト，ＭＯ）と、権利＋鍵（暗号化を解除するための鍵）部分（Rights Object：権利オブジェクト，ＲＯ）とを別々に配信する方式である。ここで、メディアオブジェクトはウェブからのダウンロードなどにより配信され、権利オブジェクトはＷＡＰプッシュにより配信される。移動端末上ではメディアオブジェクトと権利オブジェクトが揃って初めてそのコンテンツを再生することが可能となる。
【０００４】
前記権利は、コンテンツ利用権利を定義するパーミッション（許可）情報と、コンテンツ利用権利の範囲を定義するコンストレイント（制限）情報とにより定義される。OMA DRMにおいては、前記パーミッション情報として、コンテンツ再生（Play）、コンテンツ表示（Display）、コンテンツ実行（Execute）及びコンテンツ印刷（Print）が定義されており、前記コンストレイント情報として、コンテンツ利用回数（Count：何回使用することができるか）、コンテンツ利用可能期間（Datetime：例えば、何日（start）から何日（end）まで使用することができる）及びコンテンツ利用可能時間（Interval：例えば、使用を開始してから５分間）が定義されている。
【非特許文献１】The WAP Forum Ltd., "WAP 2.0 Technical White Paper", [on line], (2002.01.18), ［平成１６年４月２８日検索］，インターネット<URL: http://www.wapforum.org/what/WAPWhite_Paper1.pdf>
【非特許文献２】Open Mobile Alliance, "OMA Digital Rights Management version 1.0", [on line], [平成１６年４月２８日検索］，インターネット<URL: http://www.openmobilealliance.org/tech/release.html>
【発明の開示】
【発明が解決しようとする課題】
【０００５】
上述のように、OMA DRMでは、前記コンテンツ利用可能期間（Datetime）やコンテンツ利用可能時間（Interval）により、所定の期間だけコンテンツの利用を可能とするサービスが実施される。このようなサービスが実施された場合、移動端末は、所定の期間が経過した後は、そのコンテンツを利用することができなくなる。
そのコンテンツが通常のコンテンツである場合はともかく、移動端末の壁紙として登録されている壁紙であったり、着信時に鳴らすメロディとして登録されている着信メロディであったりした場合には、その使用期限が経過した直後にこれら壁紙や着信メロディを使用することができなくなり、ユーザは突然利用できなくなった印象を受け、混乱を生じる場合がある。
【０００６】
そこで、本発明は、ユーザが使用しているコンテンツに使用期限が設定されている場合に、その使用期限が経過して、突然そのコンテンツを利用できなくなったという印象を与えることがない移動端末装置を提供することを目的としている。
【課題を解決するための手段】
【０００７】
上記目的を達成するために、本発明の移動端末装置は、セパレート・デリバリーによるコンテンツの配信を受けることができる移動端末装置であって、制御部と、メモリとを有し、前記制御部は、前記メモリに保存されているコンテンツに使用期限が設定されている場合に、そのコンテンツを使用することができなくなる日時になる前に、そのことをユーザに通知するようになされているものである。
また、前記メモリに前記コンテンツごとにその使用期限の情報を記憶するリマインダテーブルを記憶しており、前記制御部は、該リマインダテーブルを定期的に参照して、使用することができなくなる日時までの時間が所定時間以下であるコンテンツがあるときに、ユーザにその旨を通知する画面を表示部に表示させるようになされているものである。
さらに、前記ユーザに通知する画面に、そのコンテンツの権利オブジェクトを購入することができるウェブページへ移行するためのボタンが設けられているものである。
【発明の効果】
【０００８】
本発明の移動端末装置によれば、そのコンテンツを利用可能な期間が経過する前（例えば１日前等）に、そのコンテンツの利用可能な期限が切れる旨をユーザに通知することができ、突然にコンテンツが使用できなくなったという印象をユーザに与えることを防止することができる。
また、ユーザに通知する画面に、そのコンテンツを購入することができるウェブページへ移行するためのボタンが設けられている場合には、ユーザの利便性を向上することができるとともに、コンテンツをユーザに提供する事業者は壁紙等のコンテンツの購入を促すことができる。
【発明を実施するための最良の形態】
【０００９】
図１は、本発明の移動端末装置（以下、単に「移動端末」という。）１のハードウェア構成の概略を示すブロック図である。
本発明の移動端末１は前述したＷＡＰ対応端末であり、図１に示すように、アンテナ１１、無線受信部や無線送信部などからなる無線通信部１２、音声信号処理やベースバンド信号処理などを行う信号処理部１３、送話用マイク１４、受話用スピーカ１５、この移動端末全体の制御を行う制御部１６、制御プログラムやコンテンツのダウンロードを行うプログラムなどの各種プログラムやダウンロードしたコンテンツ、その権利オブジェクト及び、後述するリマインダテーブルなどの各種データを記憶するメモリ１７、表示部１８、キー入力部１９などから構成されている。
ユーザは、このように構成された移動端末１を用いてインターネットなどに接続し、上述したOMA DRMにしたがって、サーバ装置から前述したセパレート・デリバリーによりコンテンツ（メディアオブジェクト：ＭＯ）とその権利オブジェクト（ＲＯ）を受信して前記メモリ１７に保存することができる。
そして、このようしてダウンロードした壁紙や着信メロディなどを、デフォルトの壁紙や着信メロディに代えて使用するように設定することができる。
【００１０】
図２は、前記メモリ１７中に記憶されるリマインダテーブルの一例を示す図である。前述のようにOMA DRMによりダウンロードしたコンテンツには、前述したコンテンツ利用可能期間（Datetime）やコンテンツ利用可能時間（Interval）により、その使用期限が設定されているものがある。
そこで、本発明のこの実施の形態においては、壁紙や着信メロディとして使用するように設定されたコンテンツが、使用期限の設定がなされているものであるときに、図２に示すリマインダテーブルにそのコンテンツを使用することができなくなる日時を記憶するようにしている。
すなわち、サーバ装置などからダウンロードし、前記メモリ１７に保存したコンテンツの中から所望のコンテンツを選択し、そのコンテンツを壁紙又は着信メロディとして使用するように登録したときに、前記制御部１６は、そのコンテンツに対応する権利オブジェクトを参照し、該権利オブジェクト中にそのコンテンツの使用期限が設定されているときには、リマインダテーブルにそのコンテンツを使用することができなくなる日時の情報（END Time）を記憶する。例えば、権利オブジェクト中に前記コンテンツ利用可能期間（Datetime）が設定されているときには、そのコンテンツを利用することができる期間の終了日時を読み出して、前記リマインダテーブルに記録する。また、前記コンテンツ利用可能時間（Interval）が設定されているときには、そのコンテンツを選択した時点の日時のデータに設定されているインターバル期間のデータを加算してコンテンツを利用することができる期間の終了日時を求め、その日時を前記リマインダテーブルに記録する。
【００１１】
図２に示した例では、リマインダテーブルには、コンテンツのタイプ（壁紙／着信メロディ）、コンテンツ名、及び、そのコンテンツを使用することができなくなる日時（END Time）が記憶されており、壁紙（Wall Paper）として登録されているコンテンツ「Tokyo-tower.jpg」は、２００４年１２月３１日の２３時５９分にその使用可能期間が満了し、着信メロディ（Ring Tone）として登録されているコンテンツ「Green-green.smf」は、２００４年１１月３０日の１１時５９分にその使用可能期間が満了することが記録されている。
このように、この実施の形態においては、壁紙又は着信メロディとして登録されているコンテンツが使用期限が設定されているコンテンツであるときには、そのコンテンツの使用期限の経過する日時の情報をリマインダテーブルに格納するようにしている。
【００１２】
図３は、このように構成された本発明の移動端末装置における処理の流れを示すフローチャートである。
待受状態（ステップＳ１）から、午前０時になると（ステップＳ２）、前記リマインダテーブルを参照する（ステップＳ３）。そして、該リマインダテーブル内に記憶されているコンテンツのうち、そのコンテンツを使用することができなくなる日時までの残り時間が２４時間以内となるコンテンツがあるか否かを判定する（ステップＳ４）。使用期限の残り時間が２４時間以内であるコンテンツがある場合には、前記表示部１８などを用いてその旨をユーザに通知し（ステップＳ５）、それ以外の場合には、前記ステップＳ１に戻る。
ここで、コンテンツの使用期限の残り時間が２４時間以内であることをユーザに通知する方法としては、そのことを通知する画面を表示部に表示する方法、そのことを音声によりユーザに報知する方法、振動モータにより振動を発生させた後、表示画面又は音声により通知する方法など各種の方法を採用することができる。
【００１３】
このように、この実施の形態においては、毎日所定の時間（図３の場合には、午前０時）に前記リマインダテーブルを参照して、使用期限の残り時間が２４時間以内であるコンテンツ（壁紙又は着信メロディ）があるか否かを判定し、残り使用時間が２４時間以内となったコンテンツがある場合には、その旨をユーザに通知するようにしている。
したがって、コンテンツの使用期限が経過して、突然、着信メロディや壁紙が突然デフォルトの状態に戻ってしまうといった事態を防止することができる。
なお、上記においては、午前０時にリマインダテーブルを参照するようにしていたが、これに限られることはなく、リマインダテーブルを参照する周期や時間は任意に設定することができる。例えば、１２時間ごとにリマインダテーブルを参照するようにしてもよい。
また、残り使用時間が２４時間以内のときにユーザに通知をするようにしていたが、例えば、３日前、１週間前など任意に設定することができる。
【００１４】
図４は、前記ステップＳ５におけるユーザへの通知を前記表示部１８にユーザ通知画面を表示することにより行なう場合のユーザ通知画面の例について説明するための図である。
図４の（ａ）は、前記表示部１８に表示されるユーザ通知画面２１を示し、（ｂ）は該ユーザ通知画面２１において、「ＹＥＳ」ボタンを操作したときに表示されるコンテンツ購入画面の例を示している。
図４の（ａ）に示すように、ユーザ通知画面２１においては、ユーザに対し、現在使用中のコンテンツ（この例では、壁紙）の使用期限が２４時間以内に切れることを示すとともに、そのコンテンツの使用期限を延長するために、そのコンテンツの権利オブジェクトを購入することができるウェブページへのリンクが設けられたＹＥＳボタンが設けられている。
ユーザがＹＥＳボタンを操作すると、図４の（ｂ）に示すそのコンテンツを販売しているコンテンツプロバイダ（ＣＰ）に接続され、そのコンテンツの購入画面２２が表示される。
このように、コンテンツの使用期限が間もなく経過することを通知する画面において、そのコンテンツの権利オブジェクトの購入画面へ移行することができるようにすることによりユーザの利便性を向上することができるとともに、コンテンツをユーザに提供する事業者はコンテンツの購入を促すことができる。
【００１５】
なお、上述した実施の形態においては、コンテンツを壁紙又は着信メロディとして設定したときに前記リマインダテーブルにその使用期限の経過する日時を記録する実施の形態について説明したが、これに限られることはない。
例えば、コンテンツをダウンロードしたときに、その権利オブジェクトに使用期限の設定がなされているか否かを判定し、使用期限の設定がなされている場合に、前記リマインダテーブルのその使用期限の経過する時点を記録するようにしてもよい。そして、前記図３に示すように、定期的に前記リマインダテーブルの内容を参照し、使用期限の残り時間が所定の時間以内であるコンテンツを発見したときは、そのことをユーザに通知するようにしてもよい。
なお、このとき、着信メロディや壁紙として現在使用しているコンテンツにつき、そのことを示すフラグなどを設け、現在使用中のコンテンツのみについて、ユーザに通知するようにしてもよいし、前記リマインダテーブルに記録されているコンテンツであれば、壁紙や着信メロディに限らず、ユーザに通知するようにしてもよい。
【図面の簡単な説明】
【００１６】
【図１】本発明の移動端末装置のハードウェア構成の一例を示すブロック図である。
【図２】リマインダテーブルの一例を示す図である。
【図３】本発明の移動端末装置の処理の流れを示すフローチャートである。
【図４】ユーザ通知画面の一例を示す図である。
【符号の説明】
【００１７】
１：移動端末装置、１１：アンテナ、１２：無線通信部、１３：信号処理部、１４：マイク、１５：スピーカ、１６：制御部、１７：メモリ、１８：表示部、１９：キー入力部
、２１：ユーザ通知画面、２２：コンテンツ購入画面
【図１】
2006065737.tif 000003
【図２】
2006065737.tif 000004
【図３】
2006065737.tif 000005
【図４】
2006065737.tif 000006